(57)【特許請求の範囲】
【請求項１】
ショルダーベルトの長手方向と直行する方向で切った断面において、前記ショルダーベルトは両端部、中央部の３部分から構成し、前記両端部には略円柱状のパッド材を配置し、前記パッド材を本体素材で覆った後、前記中央部には少なくとも帯状テープを配置したバッグ用のショルダーベルト。
【請求項２】
ショルダーベルトの長手方向と直行する方向で切った断面において、前記ショルダーベルトは両端部、中央部の３部分から構成し、シート状のパッド材を前記中央部を起点とし、一方の端部において芯材を巻き込んで略円柱状にして折り返し、次に他方の端部においても同様に芯材を巻き込んで略円柱状にして折り返した後、前記中央部が終点となるように構成し、前記中央部にはさらに帯状テープを縫着したバッグ用のショルダーベルト。
【請求項３】
ショルダーベルトの長手方向と直行する方向で切った断面において、前記ショルダーベルトは両端部、中央部の３部分から構成し、シート状のパッド材を、１つは前記中央部を起点とし、一方の端部において芯材を巻き込んで略円柱状にして折り返して前記中央部が終点となるように構成し、他の１つは前記中央部を起点とし、他方の端部において芯材を巻き込んで略円柱状にして折り返して前記中央部が終点となるように構成し、前記中央部にはさらに帯状テープを縫着したバッグ用のショルダーベルト。
【請求項４】
前記両端部に位置する略円柱状のパッド材の大きさが両端とも同一である請求項１乃至３のいずれか１項に記載のバッグ用のショルダーベルト。
【請求項５】
前記両端部に位置する略円柱状のパッド材の大きさが両端で異なる請求項１乃至３のいずれか１項に記載のバッグ用のショルダーベルト。
【発明の詳細な説明】
【０００１】
【発明の属する技術分野】
本発明は、バッグ用のショルダーベルトに関するものであり、体の形状に沿いやすく、肩当たりの良いショルダーベルトを安価に提供しようとするものである。
【０００２】
【従来の技術】
従来から、重いバッグを運搬するときに使用するショルダーベルトは、長時間バッグを運搬してもベルトが肩に食い込むことが少なく、使用者がバッグを運搬しやすいように、各種の工夫がなされている。
【０００３】
その一例を示すと、実公平６−４６３３８号や実開平６−５２５４６号のように、肩が当たる部分に弾性詰め物を入れて肩当たりを良くしたもの、実公昭６４−１０９号のように、ベルト体に別体の可撓性材料からできた鞘状体を通し、肩当たりを良くしたもの、特開平９−２１５５１６号、実用新案登録第２５８４２５５号のように、ベルトやショルダーパッドを湾曲させたり、特開平９−２９９１２７号のように楔状のパッドを入れて肩の傾斜によく沿うようにしたもの等である。
【０００４】
また、実開昭５６−４４０２９号、実開昭６２−１６６７２８号、実開平１−１８０９１５号のように、肩が当たる部分を多数の台形状あるいは半円状にしたものや、さらに、実開昭６１−１８０２２号のように、多数の半円状とした肩が当たる部分を空気袋としたものが知られている。
【０００５】
前記の実公平６−４６３３８号、実開平６−５２５４６号や実公昭６４−１０９号のようなショルダーベルトでは、緩衝力が未だ十分でなく、重いバッグを運搬した時に早く肩が痛くなってしまった。
【０００６】
特開平９−２１５５１６号、実用新案登録第２５８４２５５号のようなショルダーベルトでは、キャディバッグのような方向性があるバッグでは片方の肩でしか担ぐことができず、疲れたときにもう一方の肩に担ぎかえることが困難であった。
また、使用者は、ショルダーベルトを肩にかけた状態で、バッグを常に側面に位置させるとは限らず、背面にまわしたり、たすきがけにしたりすることがある。このような場合、ショルダーベルトがねじられ、設計通りに使用者の肩の傾斜とショルダーベルトとが面で接触することが困難となり、接触面積が少なくなって圧力が集中し、肩が痛くなってしまった。
【０００７】
実公昭６４−１０９号のような別体の可撓性材料からできた鞘状体では、これを造るために金型をおこす必要があった。従って、大きさ（幅）の異なるベルト毎に大きさ（幅）の異なる鞘状体を作るには、それぞれ別の金型を造る必要があって、費用がかかるという欠点があった。
【０００８】
実開昭５６−４４０２９号、実開昭６２−１６６７２８号、実開平１−１８０９１５号や実開昭６１−１８０２２号は、構造が比較的複雑となり、本体素材及びパッド材が湾曲しているショルダーベルトでは縫製が複雑であり、パッド材の挿入も困難となって、製造に手間がかかるだけでなく、ショルダーベルト自体の単価も高くなってしまうという欠点があった。
【０００９】
【発明が解決しようとする課題】
出願人は、前記のような欠点を改良するために、特開平１０−２８６１１号の発明をした。
かかる発明は、略円筒形の軟質発泡体内部に強靭な帯状テープを通してショルダーベルトとすることによって、円筒状部分が肩に当たった時に接触面積が広くなり、重量が分散され、肩が疲れることが少なくなるというものであった。
【００１０】
特開平１０−２８６１１号は、１本の略円筒形の軟質発泡体を使用してショルダーベルトとするため、軟質発泡体の大きさ（太さ）、硬さ等が直接ショルダーベルトに影響してくるものであった。
そのために、バッグの重さに応じて、最適な略円筒形の軟質発泡体を用意する必要があるが、既存の素材からこのような最適な軟質発泡体を得ることは結構困難であった。
また、好ましい素材を新たに設計して得ることは、安価なショルダーベルトを提供するという趣旨に反するものであった。
【００１１】
従来、図７に示すようなショルダーベルト５１も公知である。
図７のショルダーベルト５１は、板状のパッド材５２を袋状の本体素材５３内に挿入し、帯状テープ５４を重ねて、縫い合せ部９で縫い合せたものである。
【００１２】
かかるショルダーベルト５１は、パッド材５２の縫い合せ部５６がくびれるので、この部分が多少折れ曲がる。しかし、パッド材５２に適度なクッション性を持たせるためには、パッド材５２を弾性の高いものにする必要があるから、縫い合せ部５６がくびれるといってもそのくびれはごくわずかなものとなる。
そのために、パッド材５２の縫い合せ部５６の折れ曲がりもわずかなものとなるに過ぎないから、肩の複雑な三次元形状に追従しにくく、肩からずれたり、パッド材５２の角が肩に当たって痛みを感じることが少なくなかった。
パッド材５２の弾性を低くすれば、縫い合せ部５６で大きく折れ曲がるようになるが、反面パッド材５２がへたりやすくなり、肩当たりが損なわれるといった欠点が生じた。
【００１３】
そこで、本発明は、ショルダーベルトを体の複雑な三次元形状に追従するようにして、バッグをどのように担いでも、ショルダーベルトが肩に食い込んだり、パッド材の角が肩に当たらないようにしようとするものである。
そして、重いバッグを長時間運搬しても肩が疲れることが少なく、しかも構造が簡単で、製造単価も高くならないショルダーベルトを提供しようとするものである。
【００１４】
【課題を解決するための手段】
請求項１の発明は、ショルダーベルトの長手方向と直行する方向で切った断面において、前記ショルダーベルトは両端部、中央部の３部分から構成し、前記両端部には略円柱状のパッド材を配置し、前記パッド材を本体素材で覆った後、前記中央部には少なくとも帯状テープを配置したバッグ用のショルダーベルトである。
【００１５】
請求項２の発明は、ショルダーベルトの長手方向と直行する方向で切った断面において、前記ショルダーベルトは両端部、中央部の３部分から構成し、シート状のパッド材を前記中央部を起点とし、一方の端部において芯材を巻き込んで略円柱状にして折り返し、次に他方の端部においても同様に芯材を巻き込んで略円柱状にして折り返した後、前記中央部が終点となるように構成し、前記中央部にはさらに帯状テープを縫着したバッグ用のショルダーベルトである。
【００１６】
請求項３の発明は、ショルダーベルトの長手方向と直行する方向で切った断面において、前記ショルダーベルトは両端部、中央部の３部分から構成し、シート状のパッド材を、１つは前記中央部を起点とし、一方の端部において芯材を巻き込んで略円柱状にして折り返して前記中央部が終点となるように構成し、他の１つは前記中央部を起点とし、他方の端部において芯材を巻き込んで略円柱状にして折り返して前記中央部が終点となるように構成し、前記中央部にはさらに帯状テープを縫着したバッグ用のショルダーベルトである。
【００１７】
請求項４の発明は、請求項１乃至３のいずれか１項に記載のショルダーベルトにおいて、前記両端部に位置する略円柱状のパッド材の大きさが両端とも同一であるバッグ用のショルダーベルトであり、請求項５の発明は、前記両端部に位置する略円柱状のパッド材の大きさが両端で異なるバッグ用のショルダーベルトである。
【００１８】
【発明の実施の形態】
図１は、本発明ショルダーベルトの実施例を示す平面図である。図２は、図１のショルダーベルトのＡ−Ａ線断面図である。図３は、図２とは別の実施例のＡ−Ａ線断面図であり、図４は、さらに別の実施例のＡ−Ａ線断面図である。
【００１９】
ショルダーベルト１は、その長手方向の端部を連結部材６で挟んで固定し、さらに、連結部材６にはナスカン８、長さ調節金具９を取付けた連結ベルト７を連結して、バッグ用のショルダーベルトとして完成させるものである。
なお、図１では、連結ベルト７には両端ともナスカン８を取付けているが、これに代わり、バックル、ベルト孔を有するベルト等、バッグと連結できるものであれば図面に限定されず実施することができる。
【００２０】
ショルダーベルト１は、次のように構成する。
すなわち、図２に示すように、ショルダーベルト１の長手方向と直行する方向で切った断面において、ショルダーベルト１を両端部ＡとＣ、中央部Ｂの３部分からなるように構成する。
そして、両端部Ａ、Ｃには、それぞれ略円柱状のパッド材２を配置する。パッド材２は本体素材３で覆う。中央部Ｂにはパッド材３が存在しないので、偏平となる。この部分に、帯状テープ４を配置する。
【００２１】
図２では、帯状テープ４を本体素材３上に配置した後、帯状テープ４の端部を本体素材３と一緒に縫着して縫着部５とすることにより、帯状テープ４を本体素材３の中央部Ｂ上に固定するとともに、パッド材２を本体素材３内の両端部Ａ、Ｃに固定している。
図示はしないが、帯状テープ４は本体素材３内であって、かつショルダーベルトの中央部Ｂ相当位置に配置してもよい。
また、中央部Ｂに腰を持たせるために、薄いパッド材を挿入することもできる。
【００２２】
帯状テープ４は、ショルダーベルト１の強度を負担するために、強靭な素材が用いられている。具体的には、ポリプロピレンやポリアミドの繊維から成るテープである。
パッド材２や本体素材３は、ショルダーベルト１の強度の一部を全く負担していないことはないが、ほとんど負担していない。
ショルダーベルト１の強度を帯状テープ４に負担させることによって、パッド材２や本体素材３は、強度を気にせず、肩ざわり、手ざわりの良さを主眼として選択することができる。
【００２３】
図３は、図１とは別の実施例で、１枚のシート状のパッド材２を使用して、ショルダーベルト１を作成する実施例である。
パッド材２は、ショルダーベルト１の長手方向と直行する方向で切った断面において、中央部Ｂを起点２２とし、一方の端部（図３ではＡ）において芯材２１を巻き込んで略円柱状にして折り返し、次に他方の端部（図３ではＣ）においても同様に芯材２１を巻き込んで略円柱状にして折り返した後、中央部Ｂが終点２３となるように構成するものである。
【００２４】
そして、中央部Ｂに位置するパッド材２の起点２２と終点２３の合わせ目上に帯状テープ４を載置し、帯状テープ４の端部をパッド材２と一緒に縫着して縫着部５とすることにより、帯状テープ４を中央部Ｂ上に固定するとともに、芯材２１を巻き込んだパッド材２を両端部Ａ、Ｃに固定している。
このようにすれば、パッド材２の起点２２と終点２３の合わせ目が帯状テープ４で隠れるので見栄えが良い。
【００２５】
図４は、さらに別の実施例で、２枚のシート状のパッド材２を使用して、ショルダーベルト１を作成する実施例である。
パッド材２の１つは、ショルダーベルト１の長手方向と直行する方向で切った断面において、中央部Ｂを起点２２とし、一方の端部（図４ではＡ）において芯材２１を巻き込んで略円柱状にして折り返して中央部Ｂが終点２３となるように構成する。
もう１つのパッド材２は、中央部Ｂを起点２４とし、他方の端部（図４ではＣ）において芯材２１を巻き込んで略円柱状にして折り返して中央部Ｂが終点２５となるように構成するものである。
【００２６】
そして、中央部Ｂに位置するパッド材２の起点２２、２４と終点２３、２５の合わせ目上に帯状テープ４を載置し、帯状テープ４の端部をパッド材２と一緒に縫着して縫着部５とすることにより、帯状テープ４を中央部Ｂ上に固定するとともに、芯材２１を巻き込んだパッド材２を両端部Ａ、Ｃに固定している。
この実施例では、帯状テープ４は、両端部ＡとＣとを結合する役割をも果たしている。
【００２７】
図３及び図４では、中央部Ｂのパッド材２の間を両面テープ１０で結合することにより、帯状テープ４を縫着する際の作業性を上げているが、これは任意に実施できるところである。
また、帯状テープ４を中央部Ｂのパッド材２の間に挟んで縫着する事もできる。
帯状テープ４とパッド材２との縫着部５は、縫着部５が位置する中央部Ｂよりも両端部Ａ、Ｃのパッド材２の厚みが厚いので、直接使用者の肩に触れることがなく、肩あたりが悪くなることがなくなる。
【００２８】
本体素材3は、予めパッド材2の片面に接着又は融着しておくと、図３及び図４のような形状にすると同時に外表面に本体素材３が構成されるので、作業性が良く、ショルダーベルト１として完成した時の見栄えもよい。
もちろん、本体素材３を接着又は融着していないシート状のパッド材を図３及び図４のように構成した後で、その上から本体素材３で覆うようにしてもよい。
本体素材３には伸縮性を有する例えばニット生地を使用すれば、ショルダーベルトが複雑に変形したときにもしわができにくく、肩あたりもよくなる。
【００２９】
パッド材２としては、図３及び図４のようなシート材の場合は、ポリエチレン発泡体、ポリウレタン発泡体、シリコン発泡体、ＥＶＡ発泡体、ＥＰラバー発泡体、クロロプレン発泡体等が使用でき、図２のような円柱状のパッド材２では、前記に加えてポリアミドや綿の繊維を束ねたロープ芯も使用することができる。
芯材２１は、パッド材２と同じ素材でもよいし、異なる素材でもよい。
また、芯材２１は円柱状ではなく、四角柱状であってもよい。四角柱状であれば、パッド材２で巻き込んだ時にパッド材２の外径がややいびつになるが、芯材２１を作る時に板状の素材を芯材２１の大きさに切断するだけでできるので、芯材２１を作る時の無駄がなくなる。
【００３０】
図２乃至図４では、両端部Ａ、Ｃに位置する略円柱状のパッド材２の大きさを、両端とも同一としている。
このように、パッド材２の両端部Ａ、Ｃを同一の大きさの円柱状とし、かつ円柱状のパッド材２の間を離して中央部Ｂとすることによって、ショルダーベルト１はどの方向にも曲がりやすく、複雑な肩の三次元形状に追従することができる。
従って、肩からずれたり、重いバッグを肩で提げても痛みを感じることが少なくなった。さらに、バッグを側面で提げる場合のみならず、背面にまわしたり、たすきがけにしたりして使用する場合においても、常に変わらない効果を奏するものである。
【００３１】
一方、両端部Ａ、Ｃに位置する略円柱状のパッド材２の大きさを異なるようにしておけば、特に肩の一方向でしか提げないようなバッグにおいて、小さい方のパッド材が肩の中心寄りに、大きい方のパッド材を肩の外側になるようにすることで、ショルダーベルト１が肩に沿いやすくなり、バッグが肩からずれることも少なくなる。
【００３２】
本発明は以上のような構成であるので、製造単価もそれほど高くなることはない。
【００３３】
図５は、本発明ショルダーベルトをリュックサックに実施した例であり、図６は、キャディバッグに実施した例である。
図５のようなリュックサックでは、両肩で担ぐので、両端部Ａ、Ｃに位置する略円柱状のパッド材の大きさは同一であるのがよい。また、リュックサックでは、反対の肩で担ぎ替えることはないので、両端部Ａ、Ｃに位置する略円柱状のパッド材の大きさを変え、小さい方のパッド材が肩の中心寄りに、大きい方のパッド材が肩の外側となるようにしてもよい。
図６のようなキャディバッグでは、片方の肩で担ぐので、両端部Ａ、Ｃに位置する略円柱状のパッド材の大きさを変えておけば、肩の形状に良く沿うようになる。ただ、反対の肩へのかけ替えをも考慮すると、同一の大きさであってもよい。
【００３４】
【発明の効果】
本発明では、パッド材２の両端部Ａ、Ｃを同一の大きさの略円柱状とし、かつ略円柱状のパッド材２の間を離して中央部Ｂとすることによって、ショルダーベルト１はどの方向にも曲がりやすく、複雑な肩の三次元形状に追従することができる。
従って、肩との接触面積が多いなり、圧力が分散されるので、肩からずれたり、重いバッグを肩で提げても痛みを感じることが少なくなった。
さらに、バッグを側面で提げる場合のみならず、背面にまわしたり、たすきがけにしたりして使用する場合においても、前記の効果が維持されるものである。
【００３５】
両端部Ａ、Ｃに位置する略円柱状のパッド材２の大きさを異なるようにしておけば、肩の一方向でしか提げないようなバッグにおいて、小さい方のパッド材が肩の中心寄りに、大きい方のパッド材を肩の外側になるようにすることで、ショルダーベルト１が肩に沿いやすくなり、バッグが肩からずれることが少なくなる。
【図面の簡単な説明】
【図１】本発明のバッグ用ショルダーベルトの一実施例を示す正面図である。
【図２】図１のＡ−Ａ線断面図である。
【図３】図１の他の実施例のＡ−Ａ線断面図である。
【図４】図１のさらに別の実施例のＡ−Ａ線断面図である。
【図５】本発明のバッグ用ショルダーベルトをリュックサックに装着した実施例である。
【図６】本発明のバッグ用ショルダーベルトをキャディバッグに装着した実施例である。
【図７】従来のショルダーベルトの断面図である。
【符号の説明】
１  ショルダーベルト
２  パッド材
３  本体素材
４  帯状テープ
５  縫着部
６  連結部材
７  連結ベルト
８  ナスカン
９  長さ調節金具
１０  両面ベルト
２１  芯材
２２  起点
２３  終点
２４  起点
２５  終点
５１  ショルダーベルト
５２  パッド材
５３  本体素材
５４  帯状テープ
５６  縫着部
【図１】
0004023954.tif 000002
【図２】
0004023954.tif 000003
【図３】
0004023954.tif 000004
【図４】
0004023954.tif 000005
【図５】
0004023954.tif 000006
【図６】
0004023954.tif 000007
【図７】
0004023954.tif 000008